(57)【特許請求の範囲】
【請求項１】
戸体と、該戸体の表裏の面材のそれぞれの下部を覆う保護パネルとを備えた扉体であって、
前記保護パネルは、その側端部に、前記戸体に固定するための固定具が挿通される複数の挿通孔を有し、同形状の前記保護パネルどうしを相互に上下反転状態にして重ねたときに前記挿通孔どうしが重ならない構成となっており、
前記戸体の表裏に、前記保護パネルを相互に上下反転状態にし、前記挿通孔どうしが重ならないように対向配置して、前記固定具で固定したことを特徴とする扉体。
【請求項２】
請求項１において、
前記戸体はフラッシュ構造とされており、
前記固定具は、芯体と枠体とよりなるプッシュリベットよりなり、前記枠体を前記芯体の挿入により拡径させて前記面材に固定する構成となっている、扉体。
【請求項３】
請求項１または２において、
前記戸体の木口面に接するように配される基部と、該基部の少なくとも一方の側端から前記面材に沿うように延びた延出部とを備えた端部部材をさらに備えており、
前記保護パネルは、一方の側端部が前記固定具で固定され、他方の側端部が、前記端部部材を前記戸体の木口面に取り付けることで前記端部部材で隠されるようになっている、扉体。
【請求項４】
請求項１〜３のいずれか１項において、
前記保護パネルは、折戸を構成する相互に連結された２枚の戸体のうち少なくとも、一方の側端縁が開放された戸体に取り付けられるようになっている、扉体。
【請求項５】
請求項１〜４のいずれか１項において、
前記保護パネルの上下が両面テープで前記面材に貼着されている、扉体。
【請求項６】
戸体の表裏の面材のそれぞれの下部を覆うように取り付けられる保護パネルであって、
側端部に、前記戸体に固定するための固定具が挿通される複数の挿通孔が形成され、同形状の前記保護パネルどうしを相互に上下反転状態にされて、前記戸体の表裏に対向配置された場合に前記挿通孔どうしが重ならない構成とされていることを特徴とする保護パネル。
【請求項７】
請求項６において、
パネル面の上下に両面テープが取り付けられている、保護パネル。
【発明の詳細な説明】
【技術分野】
【０００１】
本発明は、戸体と、戸体の表裏の面材のそれぞれの下部を覆う保護パネルとを備えた扉体およびそれに取り付けられる保護パネルに関する。
【背景技術】
【０００２】
病院、高齢者施設などの建物に設けられた引戸や開き戸、折戸などの戸体の表裏に貼り付けてある面材には、車椅子が衝突したり接触したりすることが多く、そのため戸体の下部には傷や汚れが付きやすい。折戸の場合、側端縁が開放されているほうの戸体が特に傷つきやすい。このような衝突から戸体を保護するために、従来では戸体の下部に保護パネルを取り付けることが提案されている（たとえば、特許文献１参照）。
【０００３】
このような保護パネルを戸体に固定する手段としては、戸体の木口面に対して取り付けるＬ型などの端部部材を用いて保護パネルを面材との間に挟むようにして固定することが、本発明者らによって試行されている。
【先行技術文献】
【特許文献】
【０００４】
【特許文献１】実開平６−４０２８８号公報
【発明の概要】
【発明が解決しようとする課題】
【０００５】
ところで、上記保護パネルを折戸の戸体に取り付ける場合、戸体の開放側の側端縁には端部部材を取り付けることができるが、戸体どうしの連結側の側端縁には、その端面（木口面）が平坦面となっていないという理由から、端部部材を取り付けることはできない。また、戸体どうしを連結させた後であれば、かりに戸体どうしの連結側の側端縁の端面が平坦であったとしても、その端面に端部部材を取り付けることはできない。そのため、保護パネルの、上記連結側の側端縁側の側端部は、戸体面に対してビスなどの固定具で取り付けなければならない。
【０００６】
しかしながら、保護パネルを戸体の表裏面に取り付ける場合、表裏それぞれから打ち込む固定具どうしが接触するおそれがある。保護パネルにあらかじめ固定具用の挿通孔を設けておけばよいが、表裏間で高さ位置が異なるように表裏用に２種の保護パネルを形成しなければならず、手間がかかる。
【０００７】
本発明は、このような事情を考慮して提案されたもので、保護パネルを取り付けるための表裏の固定具が接触することがなく、かつ保護パネルを効率的に取り付けることができる扉体、および、その保護パネルを提供することにある。
【課題を解決するための手段】
【０００８】
上記目的を達成するために、本発明の扉体は、戸体と、戸体の表裏の面材のそれぞれの下部を覆う保護パネルとを備えた扉体であって、保護パネルは、その側端部に、戸体に固定するための固定具が挿通される複数の挿通孔を有し、同形状の保護パネルどうしを相互に上下反転状態にして重ねたときに挿通孔どうしが重ならない構成となっており、戸体の表裏に、保護パネルを相互に上下反転状態にし、挿通孔どうしが重ならないように対向配置して、固定具で固定したことを特徴とする。
【０００９】
また、上記目的を達成するために、本発明の保護パネルは、戸体の表裏の面材のそれぞれの下部を覆うように取り付けられる保護パネルであって、側端部に、戸体に固定するための固定具が挿通される複数の挿通孔が形成され、同形状の保護パネルどうしを相互に上下反転状態にされて、戸体の表裏に対向配置された場合に挿通孔どうしが重ならない構成とされていることを特徴とする。
【発明の効果】
【００１０】
本発明の扉体によれば、上述の構成となっているため、保護パネルを取り付けた表裏の固定具が接触することがない。また、戸体に保護パネルを取り付けて加工する際において、保護パネルを効率的に取り付けることができる。
【００１１】
また、本発明の保護パネルによれば、保護パネルを取り付ける際に戸体の表裏の面材に取り付ける固定具が接触することがなく、かつ扉体の加工工程において保護パネルを効率的に取り付けることができる。
【図面の簡単な説明】
【００１２】
【図１】本発明の一実施形態に係る、折戸の扉体の説明図である。（ａ）は扉体の下部の部分斜視図、（ｂ）は同扉体に取り付けられる保護パネルの正面図である。
【図２】（ａ）は端部部材の取り付け状態を示した２つの端部部材の斜視図、（ｂ）は端部部材の拡大平面図である。
【図３】（ａ）は折戸の一方の戸体に対する保護パネルの取付態様を示す、戸体の一部を省略した横断面図、（ｂ）は折戸が折り畳まれた状態を示す、折戸の一部を省略した横断面図である。
【図４】戸体に対する保護パネルの他の取り付け態様を示す説明図である。（ａ）は戸体に対する保護パネルの取り付け態様を示す正面図であり、（ｂ）は固定具の取り付け手順を示す保護パネルが貼り付けられた戸体の部分拡大横断面図である。
【図５】保護パネルが取り付けられる折戸の説明図である。（ａ）は折戸の正面図、（ｂ）は同平面図である。
【発明を実施するための形態】
【００１３】
以下に、本発明の実施の形態について、添付図面を参照しながら説明する。まず、基本構成について説明する。
【００１４】
以下の実施形態に係る扉体１は、戸体１Ａと、戸体１Ａの表裏の面材２のそれぞれの下部を覆う保護パネル１０とを備えたものである（図１（ａ）参照）。保護パネル１０は、その側端部に、戸体１Ａに固定するための固定具１２が挿通される複数の挿通孔１１を有し、同形状の保護パネル１０、１０どうしを相互に上下反転状態にして重ねたときに挿通孔１１、１１どうしが重ならない構成となっている（図１（ｂ）参照）。扉体１は、戸体１Ａの表裏に、保護パネル１０を相互に上下反転状態にして、固定具１２で固定したものである（図１（ａ）（ｂ）参照）。
【００１５】
扉体１としては、部屋の間仕切り、クローゼットなどの引戸や開き戸、折戸など種々の用途に用いられるものが含まれる。また、扉体１は各種収納装置の収納部に取り付けられるものであってもよい。
【００１６】
ついで、扉体１およびその扉体１に取り付けられた保護パネル１０の詳細について、図１〜図５にもとづいて説明する。本実施形態では、保護パネル１０を取り付ける戸体１Ａとして、折戸３０に用いられる戸体１Ａを例示する。
【００１７】
折戸３０は、図５（ａ）、（ｂ）に示すように、２枚１組の戸体１Ａ、１Ｂを相互に回動可能に連結させてドア枠に取り付けてなる間仕切り用の折戸ドアである。この折戸ドアは、たとえば高齢者施設や一般住戸、車椅子用の公衆トイレなどに使用される。
【００１８】
この折戸３０の幅寸法の小さいほうの戸体１Ｂは、一方の側端縁が一方（図５の右側）の縦枠４１側にヒンジ結合され、他方の側端縁が幅寸法の大きいほうの戸体１Ａの一方の側端縁と上下に設けた連結材３１にて相互に回動可能に連結されている。上下の連結材３１には、相互に噛み合った１組のギア（不図示）が内装されている。
【００１９】
幅寸法の大きいほうの戸体１Ａの他方の側端縁は開放されており、２枚の戸体１Ａ、１Ｂの折り畳みにより折戸ドアが開くようになっている。なお、２枚の戸体１Ａ、１Ｂの相互に連結される各側端縁は、相互に回転しやすいように平面視で湾曲状に（多角形状に）形成されている（図５（ａ）、（ｂ）参照）。
【００２０】
保護パネル１０は、図５（ａ）、（ｂ）に２点鎖線で示したように、幅寸法の大きい戸体１Ａ（以下、たんに戸体１Ａという）の表裏に取り付けられるようになっている。以下に、保護パネル１０、その保護パネル１０の戸体１Ａへの取り付け構造および保護パネル１０が取り付けられた扉体１について説明する。
【００２１】
本実施形態に用いられる戸体１Ａは、図５（ａ）に示すように、少なくとも四周に配された枠部３と、横桟４（図４参照。図５では不図示）と、表裏に取り付けられた面材２とを備えたフラッシュ構造の戸体１Ａである。なお、戸体１Ａの表裏の面材２間には芯材が内装されていてもよい。
【００２２】
保護パネル１０は、合成樹脂などよりなるシート状のパネル材よりなる。保護パネル１０としては、柔軟で復元力のある、強度の高い素材を用いることが望ましい。また、外部からの衝撃で割れたり、ひびがはいったりするものでなければ、硬質の材料であってもよい。
【００２３】
以下に説明する実施形態の保護パネル１０は透明パネルとされ、保護パネル１０を取り付けない面材２の部位と見比べてほとんど変わりのない程度に見えるものが望ましい。もちろん、保護パネル１０を取り付けた面と取り付けない面とで見た目上の差異が生じるものでもよい。また、保護パネル１０を通して面材２の木目模様などが視認できる程度の半透明のものも、保護パネル１０として利用できる。保護パネル１０は透明パネルや半透明パネルに限られず、色や模様の施されたものであってもよい。
【００２４】
保護パネル１０の幅寸法は、戸体１Ａの見付け面の幅寸法に対応して、それとほぼ同寸法かやや小さい寸法となっている。一方、保護パネル１０の縦寸法は、車椅子や杖、靴が衝突する可能性のある部位であることと、見栄えとを考慮して、扉体１の下端から約２０ｃｍ〜４０ｃｍ程度とすることが望ましい。また、戸体１Ａの表裏の保護パネル１０としては、同一外形のものが用いられている。
【００２５】
保護パネル１０の厚さ寸法は、約０．５ｍｍ〜２ｍｍ程度とすることが望ましく、約０．５ｍｍ〜１．５ｍｍ程度とすることがさらに望ましい。最も望ましい厚みは１ｍｍ程度である。このような薄さの保護パネル１０であれば、扉１の幅に合わせて現場で切断が可能である。また、保護パネル１０の表面の傷を目立たせにくくするために、表面にマット処理（たとえば梨地加工処理）を施しておくことが望ましい。
【００２６】
本保護パネル１０は、その裏面（貼り付け面）の上下にあらかじめ取り付けられた両面テープ１３、およびビス、釘などの固定具１２によって戸体１Ａの面材２の表面に取り付け固定されている。なお、本実施形態の扉体１は、保護パネル１０の一方の側端が、戸体１Ａの開放側の木口面６（図３参照）を保護する端部部材２０（図２、図３参照）によって固定されている。
【００２７】
図１（ａ）に示すように、保護パネル１０の連結側の側端（図中の右側）は、戸体１Ａの表裏面に固定具１２によって固定されている。また、保護パネル１０の上下は、両面テープ１３で面材２に対して貼り付けられ、面材２との間にほとんど隙間ができないようになっている。さらに、保護パネル１０の開放側の側端（図１（ａ）中の左側）は、端部部材２０（図２参照）によって面材２に対して押圧されるように固定されている。
【００２８】
保護パネル１０の連結側の側端には、あらかじめ、固定具１２を挿通させるための表裏を貫通する３つの挿通孔１１、１１、１１が上下方向に沿って開設されている。
【００２９】
表側の保護パネル１０に形成された挿通孔１１、１１、１１のうち中央のものは、図１（ｂ）に示すように、保護パネル１０の縦辺の中央よりもやや下にずれた位置にある。上下の挿通孔１１、１１は、中央の挿通孔１１から同距離が離間した位置に形成されている。つまり、３つの挿通孔１１、１１、１１は中央の挿通孔１１を中心として上下対称となっているが、保護パネル１０としては上下非対称となっている。
【００３０】
挿通孔１１の横方向における位置は、固定具１２としてビスを用いる場合、保護パネル１０の右側の側端が下地である枠部３（図５（ａ）参照）にまでおよぶ場合には、その枠部３に対して固定具１２をねじ込める位置とすることが望ましい。
【００３１】
裏側の保護パネル１０は、上述したように表側の保護パネル１０と同一外形とされ、表側の保護パネル１０と同一のものが用いられている。この裏側に配する保護パネル１０は、表側に配する保護パネル１０と同じものを上下反転させたものである。つまり、本実施形態の扉体１は同形状の２枚の保護パネル１０、１０を、相互に上下反転状態として用いる構成となっている。
【００３２】
２枚の保護パネル１０、１０を、戸体１Ａに取り付ける状態で貼り付け面どうしを向き合わせるように重ね合わせると、挿通孔１１が上述した位置となっているので、図１（ｂ）に示すように、挿通孔１１の位置は３つとも表裏で相互に上下方向にずれている。なお、図１（ｂ）には、説明の都合上、裏側の保護パネル１０を右にずらして示した。
【００３３】
このように、表裏の保護パネル１０、１０間で挿通孔１１の高さ位置がずれているので、後述するように、表裏の挿通孔１１、１１に挿通させる固定具１２、１２が接触することを防止することができる（図１、図３参照）。表裏の固定具１２、１２が接触しないようにする必要があるため、表裏の挿通孔１１、１１は相互に重なる部位がなく、孔全体が重ならないように離れていることが望ましい。
【００３４】
このような保護パネル１０は、工場または現場において折戸３０を形成する前に戸体１Ａに貼り付けてもよいし、折戸３０が形成されたのちに戸体１Ａに貼り付けてもよい。また、折戸３０が折戸ドアとして施工されたのちに、戸枠内に組み付けられた戸体１Ａに対して後付けするようこともできる。
【００３５】
保護パネル１０を戸体１Ａに取り付けない状態で現場に持ち込む場合、面材２に貼着されるパネル面の上下に両面テープ１３、１３をあらかじ取り付けておくことが望ましい。両面テープ１３、１３を貼り付けておけば、表裏を識別しにくい保護パネル１０であっても、表裏をすぐに判別することができる。現場で保護パネル１０の表裏を誤ることがないので、保護パネル１０の表面（貼り付け面ではない面）を面材２に貼り付けるおそれがない。つまり、戸体１Ａの表裏の一方に保護パネル１０の裏面を貼り付け、他方に戸体の裏の保護パネルの表面を貼り付けるというミスを防止できる。このようなミスが発生すれば戸体１Ａの表裏の挿通孔１１の高さ位置が一致してしまうが、取り付けた両面テープ１３により保護パネル１０の裏面を識別しやすくしておけば、そのようなミスの発生を回避することができる。
【００３６】
一方、保護パネル１０の開放側の側端は、上述したように端部部材２０によって固定されるようになっている。この端部部材２０について、図２を参照しながら説明する。
【００３７】
端部部材２０は、平面視でＬ字形をなしている。すなわち、端部部材２０は、木口面６の幅方向の約半分を覆う基部２１と、その側端から戸体１Ａの面に沿うように延びた延出部２２とを備えている（図２（ａ）、（ｂ）参照）。
【００３８】
それぞれの端部部材２０の基部２１には、端部部材２０を扉１の木口面６にビス２５（図３参照）で固定するための複数のビス挿通孔２１ａ、２１ａ、２１ａが等間隔で開設されている（図２（ａ）参照）。端部部材２０、２０間に戸体１Ａの木口面６が露出しないように、基部２１の内側の幅寸法（内寸法）を扉１の厚みの半分とすることが望ましい。また、図例の端部部材２０は、上下反転させることで表裏いずれの端部部材２０としても利用することができる。
【００３９】
この端部部材２０の延出部２２によって、面材２の表面に取り付けたパネル１１を押さえられるようになっている。延出部２２は、図２（ａ）（ｂ）に示すように、基部２１よりも薄く形成されている。このように延出部２２を薄くすることで、戸板１Ａの面での突出量を小さくすることが望ましい。
【００４０】
なお、この端部部材２０の延出部２２で保護パネル１０の側端を保持する（押さえる）ことが望ましいが、保護パネル１０は両面テープ１３で戸体１Ａに固定されているから、延出部２２で保護パネル１０の側端を隠すだけであってもよい。
【００４１】
また、端部部材２０としては、表裏用に一体となったもの、つまり、基部２１と、その幅方向の両端から面材２に沿うように延びた２片の延出部２２とを備えたものであってもよい。
【００４２】
保護パネル１０は上述した固定具１２および端部部材２０を用いて、図３（ａ）、（ｂ）に示すようにして取り付けられる（図３（ｂ）には折戸全体を図示）。すなわち、まず表裏の保護パネル１０を上下において両面テープ１３（図１等参照）で取り付け、つぎに保護パネル１０の右の側端を固定具１２で固定し、さらに端部部材２０を取り付けることで保護パネル１０の左の側端を固定するようにして、保護パネル１０を取り付けることができる。
【００４３】
なお、図３（ａ）には端部部材２０を戸板１Ａの側方より取り付けるように図示してあるが、保護パネル１０を延出部２２で押さえるようにしたのち、木口面６でビス止めするようにしてもよい。そうすれば、保護パネル１０を端部部材２０の延出部２２により強固に保持することができる。
【００４４】
以上のように、本実施形態に係る保護パネル１０は、折戸３０を構成する相互に連結された２枚の戸体１Ａ、１Ｂのうち少なくとも、一方の側端縁が開放された戸体１Ａに取り付けられるようになっている。そして、戸体１Ａに取り付けられた保護パネル１０は、戸体１Ａの開放された側端縁側に配された側端が端部部材２０によって固定され隠されるようになっている。
【００４５】
このような扉体１（保護パネル１０）によれば、折戸ドアの側端縁が開放されているほうの戸体１Ａの面材２の下部を、車椅子などの衝突から保護することができる。また、端部部材２０により、戸体１Ａの木口面６および角部７も保護することができる。
【００４６】
また、図３（ｂ）に示すように、保護パネル１０は戸体１Ａの表裏に取り付けられ、固定具１２（ビス）で表裏よりねじ込み固定するようになっているため、ビスはその長さによっては先端が厚み方向の中央よりも深く入り込む。しかし、上述したようにビスのねじ込み高さ位置が表裏で相互に異なるため、ビスの先端を含む軸部どうしが接触することを回避することができる。
【００４７】
固定具１２としてはビスには限定されない。本実施形態の扉体１のように、フラッシュ構造の戸体１Ａに対して保護パネル１０を取り付けるものでは、図４（ａ）に示したように、枠部３や横桟４、芯材（不図示）などの下地材に対して固定具１２を取り付けできない場合がある。特に、折戸３０の場合、（折り畳みで戸体１Ａ、１Ｂ間に挟まれる）表側の保護パネル１０の右の側端がその厚みにより折り畳みの妨げとなる可能性があり、それを回避するために、保護パネル１０の連結側の側端を中央寄りに配する場合がある（図４（ａ）参照）。
【００４８】
このように、保護パネル１０の側端が、図４（ａ）に示すような中央寄りの、枠部３からずれた位置に配置される場合には、固定具１２として、図４（ｂ）に示すような、芯体１２ａと、割り溝を有した枠体１２ｂとよりなるプッシュリベットを用いればよい。プッシュリベットは、図４（ｂ）に示すように、その取り付けにおいて、枠体１２ｂを挿通孔１１に通したのち、芯体１２ａを押し込むことで、枠体１２ｂの先端部が拡径するように変形する構造となっている。
【００４９】
固定具１２がこのような拡径構造であるため、図４（ａ）に示すように下地材がない部位に固定具１２を取り付ける必要がある場合でも、固定具１２は面材２に固定され、その結果、固定具１２の外れを回避することができる。なお、図４（ｂ）における２ａは、保護パネル１０の挿通孔１１に対応して開設された面材２の挿通孔である。この挿通孔２ａはたとえば、保護パネル１０を両面テープ１３で貼り付け、位置が確定したのちに開設すればよい。
【符号の説明】
【００５０】
１          扉体
３０        折戸
１Ａ        （幅寸法の大きいほうの）戸体
１Ｂ        戸体
２          面材
１０        保護パネル
１１        挿通孔
１２        固定具
１２ａ      芯体
１２ｂ      枠体
１３        両面テープ
２０        端部部材
２１        基部
２２        延出部
【図１】
0006418382.tif 000002
【図２】
0006418382.tif 000003
【図３】
0006418382.tif 000004
【図４】
0006418382.tif 000005
【図５】
0006418382.tif 000006